(57)【要約】【課題】容易に長さを調整でき、長さ調整時の作業者の負担を軽減できる背負式作業機の背負バンドを提供する。【解決手段】作業者が肩に背負うバンド本体２０と、バンド本体２０の長さを調整するためのバックル１１と、を備え、バックル１１は、環状のフレーム部材１２と当該フレーム部材１２の内側を仕切る棒状部材１３とを有し、バンド本体２０は、フレーム部材１２と棒状部材１３との間に挿通されるように背負バンドを構成し、このバンド本体２０上に、複数の目盛１６を設け、バックル１１のフレーム部材１２上に、目盛１６と対応させるための指標１９を設ける。これにより、目盛１６とフレーム部材１２の指標１９との位置合わせによるバンド本体２０の長さ調整を可能とし、背負式作業機の本体部を背負うことなく背負バンドの長さを調整できるようにする。【選択図】図５
2012076064.tif 000002
【特許請求の範囲】
【請求項１】
背負式作業機（１００）用の背負バンド（２ａ，２ｂ）であって、
作業者が肩に背負う帯状のバンド本体（２０）と、
前記バンド本体（２０）の長さを調整するためのバックル（１１）と、
前記バンド本体（２０）上に設けられ、当該バンド本体（２０）の長手方向に並べて配置された複数の目盛（１６）と、を備え、
前記バックル（１１）は、環状のフレーム部材（１２）と、当該フレーム部材（１２）の内側を仕切るように設けられた棒状部材（１３）と、を有し、
前記バンド本体（２０）は、前記フレーム部材（１２）と前記棒状部材（１３）との間に挿通され、
前記フレーム部材（１２）は、前記目盛（１６）と対応させるための指標（１９）を含むことを特徴とする背負式作業機（１００）の背負バンド（２ａ，２ｂ）。
【請求項２】
前記バンド本体（２０）は、長さが一定となるよう前記バックル（１１）に連結された固定長バンド（９）と、長さが変更可能となるよう前記バックル（１１）に連結された可変長バンド（１０）と、を有し、
前記複数の目盛（１６）は、前記可変長バンド（１０）上に設けられ、
前記可変長バンド（１０）の一端側は、前記棒状部材（１３）周りに折り返され、前記フレーム部材（１２）と前記棒状部材（１３）との間に挿通され、当該可変長バンド（１０）の他端側と前記フレーム部材（１２）との間に挟まれることを特徴とする請求項１記載の背負式作業機（１００）の背負バンド（２ａ，２ｂ）。
【請求項３】
前記フレーム部材（１２）又は前記目盛（１６）は、前記バンド本体（２０）と色の異なる部分を含むことを特徴とする請求項１又は２記載の背負式作業機（１００）の背負バンド（２ａ，２ｂ）。
【請求項４】
それぞれの前記目盛（１６）は、前記バンド本体（２０）の長手方向に交差する方向に線状に延びていることを特徴とする請求項１〜３のいずれか１項記載の背負式作業機（１００）の背負バンド（２ａ，２ｂ）。
【請求項５】
前記目盛（１６）の端部に連設され、当該目盛（１６）に対して斜行する複数の斜行目盛（１７）を備えたことを特徴とする請求項４記載の背負式作業機（１００）の背負バンド（２ａ，２ｂ）。
【請求項６】
前記複数の目盛（１６）及び前記複数の斜行目盛（１７）は複数のグループ（１８）に分割され、それぞれの前記グループ（１８）に属する前記複数の目盛（１６）及び前記複数の斜行目盛（１７）の端部同士が互いにつながれていることを特徴とする請求項５記載の背負式作業機（１００）の背負バンド（２ａ，２ｂ）。
【請求項７】
それぞれの前記グループ（１８）は、前記バンド本体（２０）の長手方向での長さが所定長以上となるように構成され、当該所定長は、前記グループ（１８）上に前記フレーム部材（１２）が位置している状態であっても、当該グループ（１８）の一部の目盛が視認可能となる長さであることを特徴とする請求項６記載の背負式作業機（１００）の背負バンド（２ａ，２ｂ）。
【請求項８】
前記複数の目盛（１６）は、互いに長さが異なることを特徴とする請求項４〜７のいずれか１項記載の背負式作業機（１００）の背負バンド（２ａ，２ｂ）。
【請求項９】
前記複数の目盛（１６）は、長さ順に並んでいることを特徴とする請求項８記載の背負式作業機（１００）の背負バンド（２ａ，２ｂ）。
【発明の詳細な説明】
【技術分野】
【０００１】
本発明は、背負式作業機の背負バンドに関する。
【背景技術】
【０００２】
従来より、背負式作業機の背負バンドとして、長さを調整可能なものが知られている（例えば、特許文献１参照）。
【先行技術文献】
【特許文献】
【０００３】
【特許文献１】特開２００７−２８９８１６号公報
【発明の概要】
【発明が解決しようとする課題】
【０００４】
特許文献１に記載されている背負式作業機では、背負バンドの長さを作業者の体形に合う長さとすることができ、作業の快適性が得られる。しかし、背負式作業機は、重量が大きい動力源や薬剤タンクなどを含む本体部を背負うものであるため、本体部を背負った状態で長さを調節するには大きな労力を必要とする。特に複数の作業者で同じ背負式作業機を共用する場合などには、作業の都度背負バンドの長さを調整する必要があり、調整作業時に費やす労力が作業者の負担となる場合があった。
【０００５】
本発明は、このような問題点を解決するためになされたものであり、容易に長さを調整でき、長さ調整時の作業者の負担を軽減できる背負式作業機の背負バンドの提供を目的とする。
【課題を解決するための手段】
【０００６】
本発明による背負式作業機の背負バンドは、背負式作業機（１００）用の背負バンド（２ａ，２ｂ）であって、作業者が肩に背負う帯状のバンド本体（２０）と、バンド本体（２０）の長さを調整するためのバックル（１１）と、バンド本体（２０）上に設けられ、当該バンド本体（２０）の長手方向に並べて配置された複数の目盛（１６）と、を備え、バックル（１１）は、環状のフレーム部材（１２）と、当該フレーム部材（１２）の内側を仕切るように設けられた棒状部材（１３）と、を有し、バンド本体（２０）は、フレーム部材（１２）と棒状部材（１３）との間に挿通され、フレーム部材（１２）は、目盛（１６）と対応させるための指標（１９）を含むことを特徴とする。
【０００７】
このような背負バンド（２ａ，２ｂ）によれば、作業者の体形に合った背負バンド（２ａ，２ｂ）の長さに対応した目盛（１６）を背負時に記憶しておき、その目盛（１６）とフレーム部材（１２）の指標（１９）との位置を合わせるだけで背負バンド（２ａ，２ｂ）の長さを調整することができる。このため、背負式作業機（１００）の本体部を背負うことなく背負バンド（２ａ，２ｂ）の長さを調整することができ、背負バンド（２ａ，２ｂ）の長さ調整時の作業者の負担を軽減することができる。
【０００８】
ここで、上記作用を効果的に奏する構成として、バンド本体（２０）は、長さが一定となるようバックル（１１）に連結された固定長バンド（９）と、長さが変更可能となるようバックル（１１）に連結された可変長バンド（１０）と、を有し、複数の目盛（１６）は、可変長バンド（１０）上に設けられ、可変長バンド（１０）の一端側は、棒状部材（１３）周りに折り返され、フレーム部材（１２）と棒状部材（１３）との間に挿通され、当該可変長バンド（１０）の他端側とフレーム部材（１２）との間に挟まれるものが挙げられる。
【０００９】
また、フレーム部材（１２）又は目盛（１６）は、バンド本体（２０）と色の異なる部分を含む構成であると、フレーム部材（１２）とバンド本体（２０）との境界が明確になり、大まかな長さ調整をするのが容易となるため、背負バンド（２ａ，２ｂ）の長さ調整がさらに容易となる。
【００１０】
また、上記作用を効果的に奏する構成として、それぞれの目盛（１６）は、バンド本体（２０）の長手方向に交差する方向に線状に延びているものが挙げられる。
【００１１】
また、目盛（１６）の端部に連設され、当該目盛（１６）に対して斜行する複数の斜行目盛（１７）を備えた構成であると、複数の目盛（１６）を斜行目盛（１７）でつなぎ、斜行目盛（１７）でつながれた目盛（１６）を一本縫いの縫目として構成することができるため、背負バンド（２ａ，２ｂ）の製造が容易になる。
【００１２】
また、複数の目盛（１６）及び複数の斜行目盛（１７）は複数のグループ（１８）に分割され、それぞれのグループ（１８）に属する複数の目盛（１６）及び複数の斜行目盛（１７）の端部同士が互いにつながれている構成であると、例えば、フレーム部材（１２）とグループ（１８）との位置関係に基づいて大まかな長さ調整をし、その後に目盛（１６）と指標（１９）との位置関係に基づいて細かな長さ調整をすることが可能となり、背負バンド（２ａ，２ｂ）の長さ調整が一層容易となる。
【００１３】
また、それぞれのグループ（１８）は、バンド本体（２０）の長手方向での長さが所定長以上となるように構成され、当該所定長は、グループ（１８）上にフレーム部材（１２）が位置している状態であっても、当該グループ（１８）の一部が視認可能となる長さであると、フレーム部材（１２）とグループ（１８）との位置関係に基づいて大まかな長さ調整をする際に、該当するグループ（１８）を見失うことが防止される。
【００１４】
また、複数の目盛（１６）は、互いに長さが異なる構成であると、目盛（１６）を単純な線状の構成としつつ、作業者の体形に合った背負バンド（２ａ，２ｂ）の長さに対応した目盛（１６）と他の目盛（１６）とを見分けやすくなる。
【００１５】
また、複数の目盛（１６）は、長さ順に並んでいる構成であると、作業者の体形に合った背負バンド（２ａ，２ｂ）の長さに対応した目盛（１６）を見つけやすくなる。
【発明の効果】
【００１６】
このように本発明の背負式作業機の背負いバンドによれば、容易に長さを調整でき、長さ調整時の作業者の負担を軽減できる。
【図面の簡単な説明】
【００１７】
【図１】本発明の実施形態に係る背負バンドが適用された背負式作業機の前方斜視図である。
【図２】背負バンドの正面図である。
【図３】図２中のIII-III矢視図である。
【図４】バックル及び目盛の正面図である。
【図５】目盛と指標の関係を示す図である。
【発明を実施するための形態】
【００１８】
以下、本発明に係る背負式作業機の背負バンドの好適な実施形態について添付図面を参照しながら説明する。なお、各図において、同一の要素には同一の符号を付し、重複する説明は省略する。また、以下の説明において、上下、前後、左右の語は、背負式作業機を背負った作業者を基準とした方向を表すものとする。
【００１９】
図１は、本発明の実施形態に係る背負バンドが適用された背負式作業機の前方斜視図、図２は、背負バンドの正面図、図３は、図２中のIII-III矢視図、図４は、バックル及び目盛の正面図、図５は、目盛と指標の関係を示す図であり、本実施形態では背負式作業機を薬剤等の散布に用いる背負式動力散布機として説明する。
【００２０】
図１に示すように、本実施形態に係る背負バンドが適用された背負式動力散布機１００は、動力源を含む本体部１と、作業者が本体部１を背負うための左右一対の背負バンド２ａ，２ｂと、背負時に本体部１及び作業者の背中の間に介在する背当部材３と、を備えている。また、この背負式動力散布機１００は、本体部１から送り出された薬剤を作業者が散布する散布噴頭を備えている。なお、ここでは散布噴頭は取り外されている。
【００２１】
本体部１は、作業者が背負う背負枠４と、背負枠４の下端に連設され後側に突出した架台５とを備え、この架台５の上に、液体や粉粒体からなる薬剤（ここでは粒剤）を散布噴頭へ圧送するための送風機６及びその動力源（ここでは内燃エンジン）７が載置され、さらに薬剤を収容するタンク８が送風機６上に載置されて構成されている。また、背当部材３は、背負枠４の前側に取り付けられている。
【００２２】
左右一対の背負バンド２ａ，２ｂの上端部は、それぞれ背負枠４の上側に着脱自在な構造で取り付けられ、背負バンド２ａ，２ｂの下端部は、それぞれ背負枠４の下側に着脱自在な構造で取り付けられている。そして、背負バンド２ａ，２ｂ及び背負枠４のなす左右一対のループに作業者が両肩を通し、本体部１を背負うことが可能となっている。
【００２３】
図２に示すように、背負バンド２ａ，２ｂは、作業者が肩に背負う帯状のバンド本体２０と、バンド本体２０の長さを調整するためのバックル１１とを備えている。バンド本体２０は、長さが一定となるようバックル１１に連結された固定長バンド９と、長さが変更可能となるようバックル１１に連結された可変長バンド１０と、を有し、可変長バンド１０上には、当該可変長バンド１０の長手方向に並べて複数の目盛１６が設けられている（図４参照）。
【００２４】
固定長バンド９は、背負枠４の上側に取り付けるための上端連結部１４を上端部に有し、可変長バンド１０は、固定長バンド９の下端部にバックル１１を介して連結され、背負枠４の下側に取り付けるための下端連結部１５を下端部に有している。図２及び図３に示すように、バックル１１は、環状のフレーム部材１２と、フレーム部材１２の内側を仕切るように設けられた棒状部材１３とを有している。可変長バンド１０の上端側（下端連結部１５の逆側）は、棒状部材１３周りに折り返され、フレーム部材１２と棒状部材１３との間に挿通され、当該可変長バンド１０の下端側（下端連結部１５側）とフレーム部材１２との間に挟まれている。棒状部材１３における可変長バンド１０の折り返し位置を変えると、下端連結部１５とバックル１１との距離が変わり、可変長バンド１０の長さが変更される。これにより、背負バンド２ａ，２ｂの全長が調整される。
【００２５】
図４に示すように、可変長バンド１０上には、複数の目盛１６が設けられている。複数の目盛１６は、可変長バンド１０の長手方向に並べて配置されている。この目盛１６は、糸の縫目によって構成されており、それぞれの目盛１６は、可変長バンド１０の長手方向に交差する方向（ここでは直交する方向）に線状に延びている。複数の目盛１６は、互いに長さが異なっており、可変長バンド１０の長手方向に長さ順に並べられている。また、可変長バンド１０上には、隣り合う目盛１６，１６の間を斜行する複数の斜行目盛１７が設けられている。すなわち、斜行目盛１７は、目盛１６に連設され、当該目盛１６に対して斜行している。それぞれの斜行目盛１７も、目盛１６と同様に糸の縫目によって構成されている。複数の目盛１６及び複数の斜行目盛１７は、複数のグループ１８に分割されており、それぞれのグループ１８に属する複数の目盛１６及び複数の斜行目盛１７の端部同士（目盛１６の左端部と斜行目盛１７の左端部、目盛１６の右端部と斜行目盛１７の右端部）が互いにつながれている。それぞれのグループ１８は、可変長バンド１０の長手方向での長さが所定長以上となるように構成されている。当該所定長は、グループ１８上にフレーム部材１２が位置している状態であっても、当該グループ１８の一部が視認可能となる長さであり、具体的には、フレーム部材１２が可変長バンド１０を覆う範囲の長さＬである（図５参照）。なお、目盛１６及び斜行目盛１７は、可変長バンド１０と色の異なる部分を含んでいることが好ましく、可変長バンド１０と色の異なるインクで印刷されたものであってもよい。
【００２６】
フレーム部材１２は、バックル１１に連結された可変長バンド１０上の目盛１６と対応させるための指標１９を含んでいる。指標１９は、フレーム部材１２上に印刷されたものであってもよいし、フレーム部材１２上の凹凸として構成されたものであってもよく、矢印や△印等（ここでは△印）により、可変長バンド１０のうちフレーム部材１２内に位置している部分を指し示すように構成されている。さらに、フレーム部材１２は、指標１９以外の部分に、可変長バンド１０と色が異なる部分を含んでいる。
【００２７】
以上のように構成された背負式動力散布機１００の背負バンド２ａ，２ｂによれば、作業者の体形に合った背負バンド２ａ，２ｂの長さに対応した目盛１６を背負時に記憶しておき、その目盛１６とフレーム部材１２の指標１９との位置を合わせるだけで背負バンド２ａ，２ｂの長さを調整することができる（図５参照）。このため、本体部１を背負うことなく背負バンド２ａ，２ｂの長さを調整することができ、背負バンド２ａ，２ｂの長さ調整時の作業者の負担を軽減することができる。
【００２８】
また、フレーム部材１２は、指標１９以外の部分にバンド本体２０を構成する可変長バンド１０と色の異なる部分を含んでいるため、フレーム部材１２と可変長バンド１０との境界が明確になり、大まかな長さ調整をするのが容易となるため、背負バンド２ａ，２ｂの長さ調整がさらに容易となる。
【００２９】
また、隣り合う目盛１６，１６の間を斜行する複数の斜行目盛１７が可変長バンド１０上に設けられているため、複数の目盛１６を斜行目盛１７でつなぎ、斜行目盛１７でつながれた目盛１６を一本縫いの縫目として構成することができ、背負バンド２ａ，２ｂの製造が容易になる。
【００３０】
また、複数の目盛１６及び複数の斜行目盛１７は複数のグループ１８に分割され、それぞれのグループ１８に属する複数の目盛１６及び複数の斜行目盛１７は互いにつながれているため、例えば、フレーム部材１２とグループ１８との位置関係に基づいて大まかな長さ調整をし、その後に目盛１６と指標１９との位置関係に基づいて細かな長さ調整をすることが可能となり、背負バンド２ａ，２ｂの長さ調整が一層容易となる。
【００３１】
また、それぞれのグループ１８は、バンド本体２０を構成する可変長バンド１０の長手方向での長さが所定長以上となるように構成され、当該所定長は、グループ１８上にフレーム部材１２が位置している状態であっても、当該グループ１８の一部が視認可能となる長さであるため、フレーム部材１２とグループ１８との位置関係に基づいて大まかな長さ調整をする際に、該当するグループ１８を見失うことが防止される。
【００３２】
また、複数の目盛１６は、互いに長さが異なっているため、目盛１６を単純な線状の構成としつつ、作業者の体形に合った背負バンド２ａ，２ｂの長さに対応した目盛１６と他の目盛１６とを見分けやすくなっている。
【００３３】
また、複数の目盛１６は、長さ順に並んでいるため、作業者の体形に合った背負バンド２ａ，２ｂの長さに対応した目盛１６を見つけやすくなっている。
【００３４】
なお、本実施形態では背負式作業機を背負式動力散布機として説明したがこれに限られるものではなく、例えば背負式ブロワ、背負式噴霧機等にも応用可能である。
【００３５】
また、バンド本体２０の構成は、固定長バンド９と可変長バンド１０とを有するものとして説明したがこれに限られるものではなく、バックル１１によってバンド本体２０全体の長さを調整できるものであれば他のどのような構成であってもよい。例えば、バンド本体２０を一本の帯状部材とし、バックル１１に通したバンド本体２０の一端側を背負枠との連結部近傍で折り返し、その折り返し部の末端を、バンド本体２０の途中に配置されたバックル１１に連結したものであっても良い。このような構成であると、バックル１１の一方側ではバンド本体２０が一重となり、他方側ではバンド本体２０が二重となる。そして、バンド本体２０上のバックル１１の位置を変えると、一重の部分と二重の部分との比率が変わり、バンド本体２０の長さが変わる。
【符号の説明】
【００３６】
２ａ，２ｂ…背負バンド、９…固定長バンド、１０…可変長バンド、１１…バックル、１２…フレーム部材、１３…棒状部材、１６…目盛、１７…斜行目盛、１８…グループ、１９…指標、２０…バンド本体、１００…背負式動力散布機。
【図１】
2012076064.tif 000003
【図２】
2012076064.tif 000004
【図３】
2012076064.tif 000005
【図４】
2012076064.tif 000006
【図５】
2012076064.tif 000007